(57)【要約】  格納された座標測定機（ＣＭＭ）プローブに電力を供給するための電力伝達構成体が開示されている。少なくとも１つのＣＭＭのプローブレセプタクルを備える格納ラックは、ＣＭＭの近傍に取り付けられる。ＣＭＭは、ＣＭＭプローブを自動的に脱着し、それを格納ラックのプローブレセプタクルに挿抜することができる。電力伝達構成体は、プローブレセプタクルの近傍に格納ラックに取り付けられた一次電磁巻線と、ＣＭＭプローブハウジングの内部かつ近傍に配置された二次電磁巻線と、を備える。ＣＭＭプローブがプローブレセプタクル内にあるとき、一次電磁巻線は交流を受け取り、ＣＭＭプローブハウジングの近傍で変化する電磁場を発生させる。二次電磁巻線は、変化する電磁場の受信に応答してＣＭＭプローブ内に電力を発生させる。発生した電力を使用して、ＣＭＭプローブは格納中に内部的に加熱することができる。
2019519791.tif 000002
【特許請求の範囲】
【請求項１】
ＣＭＭの近傍に取り付けられ、前記ＣＭＭによって自動的に挿抜されるように座標測定機（ＣＭＭ）プローブを受け入れて保持するように構成されたプローブレセプタクルを備える格納ラックに格納され、前記ＣＭＭに自動的に着脱可能である格納された前記ＣＭＭプローブに電力を供給するための電力伝達構成体であって、
前記プローブレセプタクルの近傍または内部で前記格納ラックに取り付けられ、交流電流発生電源から電力を受け取り、前記プローブレセプタクル内に保持された前記ＣＭＭプローブのハウジングの近傍で変化する電磁場を発生させるように構成された一次電磁巻線と、
前記プローブレセプタクル内に保持された前記ＣＭＭプローブのハウジングの内部かつ近傍に配置され、変化する前記電磁場に応答して前記ＣＭＭプローブの内部で使用可能な電力を発生させる二次電磁巻線と、
を備える
ことを特徴とする電力伝達構成体。
【請求項２】
請求項１において、
前記二次電磁巻線は、前記ＣＭＭプローブの電子部品に含まれる熱調整要素に電力を供給するように構成されている
ことを特徴とする電力伝達構成体。
【請求項３】
請求項２において、
前記熱調整要素は、測定動作中に前記ＣＭＭが前記ＣＭＭプローブを使用して電力を供給するときに通常電力が供給される前記電子部品のうちの少なくともいくつかを備える
ことを特徴とする電力伝達構成体。
【請求項４】
請求項１において、
前記一次電磁巻線は、少なくとも２つのターンを含むコイルを備える
ことを特徴とする電力伝達構成体。
【請求項５】
請求項１において、
前記二次電磁巻線は、少なくとも２つのターンを含むコイルを備える
ことを特徴とする電力伝達構成体。
【請求項６】
座標測定機（ＣＭＭ）プローブを格納し、ＣＭＭに自動的に着脱可能である格納された前記ＣＭＭプローブに電力を供給するための電力伝達構成体で使用するように構成された一次電磁巻線を備え、前記ＣＭＭの近傍に取り付けられ、前記ＣＭＭによって自動的に挿抜される前記ＣＭＭプローブを受け入れて保持するように構成されたプローブレセプタクルを備える格納ラックであって、
前記電力伝達構成体は、
前記プローブレセプタクルの近傍または内部で前記格納ラックに取り付けられ、交流電流発生電源から電力を受け取り、前記プローブレセプタクル内に保持された前記ＣＭＭプローブのハウジングの近傍で変化する電磁場を発生させるように構成された前記一次電磁巻線と、
前記プローブレセプタクル内に保持された前記ＣＭＭプローブのハウジングの内部かつ近傍に配置され、変化する前記電磁場に応答して前記ＣＭＭプローブの内部で使用可能な電力を発生させる二次電磁巻線と、
を備える
ことを特徴とする格納ラック。
【請求項７】
請求項６において、
前記二次電磁巻線は、前記ＣＭＭプローブの電子部品に含まれる熱調整要素に電力を供給するように構成されている
ことを特徴とする格納ラック。
【請求項８】
請求項７において、
前記熱調整要素は、測定動作中に前記ＣＭＭが前記ＣＭＭプローブを使用して電力を供給するときに通常電力が供給される前記電子部品のうちの少なくともいくつかを備える
ことを特徴とする格納ラック。
【請求項９】
請求項６において、
前記一次電磁巻線は、少なくとも２つのターンを含むコイルを備える
ことを特徴とする格納ラック。
【請求項１０】
請求項６において、
前記二次電磁巻線は、少なくとも２つのターンを含むコイルを備える
ことを特徴とする格納ラック。
【請求項１１】
座標測定機から取り外された少なくとも１つの座標測定機（ＣＭＭ）プローブに電力を供給するための方法であって、
前記ＣＭＭプローブを格納ラックのプローブレセプタクル内に保持するステップと、
前記プローブレセプタクルに備えられ、前記プローブレセプタクルの近傍または内部に取り付けられた一次電磁巻線に電力を供給し、前記プローブレセプタクル内に保持された前記ＣＭＭプローブのハウジングの近傍で変化する電磁場を発生させるように前記格納ラックを動作させるステップと、
変化する前記電磁場に応答して、前記ＣＭＭプローブ内の二次電磁巻線に電力を発生させるステップと、
を含むことを特徴とする方法。
【発明の詳細な説明】
【技術分野】
【０００１】
本開示は、精密計測学に関し、より詳細には座標測定機から取り外されている間に座標測定機のプローブに電力を供給することに関する。
【背景技術】
【０００２】
座標測定システム、例えば座標測定機（ＣＭＭ）などの１次元または３次元測定システムは、タッチプローブのスタイラスがワークピースに接触したときに、座標測定ゲージの読み取りをトリガするタッチプローブを使用することによって、検査されたワークピースの測定値を得ることができる。参照によりその全体が本明細書に組み込まれる、米国特許第５，５２６，５７６号に記載される１つの例示的な従来技術のＣＭＭは、ワークピースと接触するためのタッチプローブと、タッチプローブを動かすための複数の駆動装置を含む移動機構と、タッチプローブヘッド内またはタッチプローブヘッドからの信号処理に関する機能を含む関連する電子システムと、を備える。走査型ＣＭＭプローブが表面と接触している間に、表面を走査するような様々なＣＭＭを構成することもできる。表面走査プローブを含むＣＭＭは、米国特許第７，６５２，２７５号に記載されており、その全体が参照により本明細書に組み込まれる。そこに開示されているように、機械的接触プローブまたは光学プローブはワークピース表面を横切って走査することができる。
【０００３】
測定動作中に、ＣＭＭプローブ内の回路部品（回路要素）は、ワークピース表面測定に使用される信号に影響を与え、熱膨張または熱収縮を通じてＣＭＭプローブの機械部分の寸法に影響を与える可能性がある熱を発生させうるかもしれない。この問題に対処するために、ＣＭＭプローブがワークピース表面測定を開始する前に定常状態の温度に達するように、ＣＭＭがウォームアップ期間中にＣＭＭに取り付けられたＣＭＭプローブに電力を供給できるようにすることが知られている。これは、特に複数のＣＭＭプローブの使用を必要とする測定操作にとっては時間がかかり、望ましくない可能性がある。従って、ウォームアップ期間を早めるまたは回避するためのいくつかの手段が存在する。例えば、ＣＭＭプローブまたはＣＭＭプローブを支持するＣＭＭプローブヘッドは、ＣＭＭプローブの温度を所望の定常状態まで迅速に上昇させるように構成された熱調節器を備えてもよい。参照によりその全体が本明細書に組み込まれる米国特許第８，４７４，１４８号は、ＣＭＭプローブヘッドの内部に熱を供給するように構成されたヒータを開示している。
【０００４】
座標測定システムはまた、ＣＭＭプローブが格納ラックに格納されてＣＭＭから取り外されている間に、ＣＭＭプローブに電力を供給するように構成されてもよい。参照によりその全体が本明細書に組み込まれる米国特許第８，３８１，５８８号（ '５８８特許）は、様々なＣＭＭプローブが使用されていない間にそれらを保持するための格納ラックを開示している。格納ラックは、測定中にＣＭＭと通信するために通常使用されるＣＭＭプローブの上部の電気接点を介して、使用されていない間にＣＭＭプローブに電力を供給するように構成される。 '５８８特許はまた、プローブ本体側の一対の浮動ピンを介してアナログ走査プローブ内のレーザに電力を供給するように構成された同様のＣＭＭプローブの格納ラックを開示している。ＣＭＭプローブに供給される電力は、ＣＭＭプローブがＣＭＭに取り付けられているとき、測定動作中にＣＭＭプローブの温度を定常状態の温度にほぼ等しい温度まで上昇させることができる。しかしながら、いずれの場合も、関連する接点配置は、複雑で高価な機械的特徴、格納ラック内のそのレセプタクル内のＣＭＭプローブの比較的正確な位置合わせ、および各所望のＣＭＭが格納ラック内の接点構成と確実に一致することを必要とする。これらの側面は時々、格納ラック内のＣＭＭに電力を供給することを高価にし、信頼性に欠けるか又は不便にする。様々な用途において、直接電気接点または電池要素を必要とせずに、ＣＭＭから取り外されている間（例えば、格納ラックにある間）に電力を受け取るように構成されているＣＭＭプローブを提供することが望ましい。
【発明の概要】
【課題を解決するための手段】
【０００５】
この概要は、［発明を実施するための形態］において以下でさらに説明される様々な開示された特徴および原理のより迅速な認識および理解を可能にするために簡略化された形で概念の抜粋を紹介するように提供される。従って、この概要は、簡単な概要としてのみ意図されており、特許請求される主題の重要な特徴を特定することを意図するものではなく、特許請求される主題の範囲を決定する際の助けとして使用されることも意図していない。
【０００６】
この概要は、詳細な説明において以下でさらに説明される様々な開示された特徴および原理のより迅速な認識および理解を可能にするために簡略化された形で概念の抜粋を紹介するように提供される。従って、この概要は簡単な概要としてのみ意図されており、特許請求された主題の重要な特徴を分離することを意図されておらず、特許請求された主題の範囲を決定する際の補助として使用されることも意図されていない。
【０００７】
格納された座標測定機（ＣＭＭ）プローブに電力を供給するための電力伝達構成体が開示されている。そのＣＭＭプローブは、格納ラックに格納され、ＣＭＭに自動的に着脱可能であり、格納ラックは、ＣＭＭの近傍に取り付けられ、ＣＭＭによって自動的に挿抜されるようにＣＭＭプローブを受け入れて保持するように構成されたプローブレセプタクルを備える。電力伝達構成体は、プローブレセプタクルの近傍または内部で格納ラックに取り付けられ、交流発生電源から電力を受け取り、プローブレセプタクル内に保持されたＣＭＭプローブのハウジングの近傍で変化する電磁場を発生させるように構成された一次電磁巻線と、プローブレセプタクル内に保持されたＣＭＭプローブのハウジングの内部かつ近傍に配置され、変化する電磁場に応答してＣＭＭプローブの内部で使用可能な電力を発生させる二次電磁巻線と、を備える。
【０００８】
一次電磁巻線を含む格納ラックは、上で概説した電力伝達構成体と共に使用するように構成することができる。
【０００９】
座標測定機から取り外された少なくとも１つの座標測定機（ＣＭＭ）プローブに電力を供給するための方法が開示される。その方法は、ＣＭＭプローブを格納ラックのプローブレセプタクル内に保持するステップと、プローブレセプタクルに備えられ、プローブレセプタクルの近傍または内部に取り付けられた一次電磁巻線に電力を供給し、プローブレセプタクルに保持されたＣＭＭプローブのハウジングの近傍で変化する電磁場を発生させるように格納ラックを動作させるステップと、変化する電磁場に応答して、ＣＭＭプローブ内の二次電磁巻線に電力を発生させるステップと、を含む。
【図面の簡単な説明】
【００１０】
【図１】ＣＭＭの様々な例示的要素を示す図である。
【図２】本明細書に開示されている原理に従って格納されたＣＭＭプローブに電力を供給し加熱するための電力伝達構成体を含む、格納ラック２００およびＣＭＭプローブ１８０の部分概略図である。
【図３】格納されたＣＭＭプローブに電力を供給するために使用可能な格納ラックの第１の従来技術のプローブレセプタクルの部分概略断面図である。
【図４】格納されたＣＭＭプローブに電力を供給するために使用可能な格納ラックの第２の従来技術のプローブレセプタクルの部分概略断面図である。
【図５】ＣＭＭプローブに電力を供給する方法を示すフロー図である。
【発明を実施するための形態】
【００１１】
図１は、交換可能なＣＭＭプローブ１８０を利用するＣＭＭ１５０を含む測定システム１００の様々な例示的要素を示す図である。測定システム１００は、手動操作ユニット１１０と、インターフェース電子機器１２０およびホストコンピュータ１１５を備えるホスト電子システムと、を有する。インターフェース電子機器１２０は、例えば、ＣＭＭ１５０の動きを制御するモーションコントローラと、（例えば信号線および制御線１３０Ａを介して）ＣＭＭプローブ１８０に接続するインターフェース回路と、を備える。手動操作ユニット１１０は、（例えば信号線および制御線１３０Ｃを介して）インターフェース電子機器１２０に結合することができ、ＣＭＭ１５０を手動で操作するためのジョイスティック１１１を備えることができる。ホストコンピュータ１１５は、（例えば信号線および制御線１３０Ｂを介して）インターフェース電子機器１２０に結合され、ユーザ入力またはプログラム制御を介してＣＭＭ１５０を操作し、ワークピースＷの測定データを処理することができる。ホストコンピュータ１１５は、例えば、測定条件または指示を入力するための入力手段１１２（例えばキーボードなど）と、例えば測定結果を出力するための出力手段１１３（例えばディスプレイ、プリンタなど）と、を備える。様々な実施形態では、ホストコンピュータ１１５とインターフェース電子機器１２０は併合および／または区別できないことがある。
【００１２】
ＣＭＭ１５０は、定盤１５２上に配置された駆動機構１５１と、交換可能なＣＭＭプローブ１８０を駆動機構１５１に取り付けるための（例えば、関節式ヘッド１６０に含まれるような）取り付け部１６５と、を備える。様々な実施形態では、ＣＭＭプローブ１８０（例えばＣＭＭプローブ１８０Ａ〜１８０Ｃのうちの１つ）は、自動的に格納ラック２００に格納され、格納ラック２００から自動的に取り外され、自動ジョイント接続１７０で、（例えば検査プログラムの制御下で）取り付け部１６５に取り付けられる（つまり、ＣＭＭプローブ１８０はＣＭＭ１５０に自動的に着脱可能とされている）。なお、自動ジョイント接続１７０は、既知の原理に従って、様々な交換可能なＣＭＭプローブまたはセンサに共通の物理的インターフェースを提供する精密なキネマティック取り付け機構および電気的接続を備える。格納ラック２００、および／または自動ジョイント接続１７０でキネマティック取り付けされるＣＭＭプローブ１８０の自動交換に使用可能な例示的な既知の技術および機構は、参照によりその全体が本明細書に組み込まれる米国特許第４６５１４０５号に記載されている。しかしながら、他の既知の技術およびメカニズムが使用されてもよいことは言うまでもない。本明細書に開示されている原理に従って格納されているＣＭＭプローブ（例えばＣＭＭプローブ１８０）に電力を供給／加熱するための格納ラック２００の実施形態は、さらに以下に記載される。
【００１３】
駆動機構１５１は、ＣＭＭプローブ１８０を３次元的に移動させるためのｘ軸、ｙ軸、ｚ軸のスライド機構１５１Ｘ、１５１Ｙ、１５１Ｚを備える。図１に示す特定の実施形態では、自動ジョイント接続１７０でＣＭＭに取り付けられるＣＭＭプローブ１８０Ｂは、接触走査型ＣＭＭプローブであり、プローブ本体１８１Ｂと、接触部１８３Ｂに取り付けられたスタイラス１８２Ｂと、を備える。スタイラス１８２Ｂは、スタイラス懸架部を介してプローブ本体１８１Ｂに取り付けられている。スタイラス懸架部は、接触部１８３ＢがワークピースＷの表面上の測定経路に沿って移動すると、接触部１８３Ｂがプローブ本体に対して３方向に自由に位置を変えることを許容している。
【００１４】
ＣＭＭプローブ１８０Ｂは、（接触部１８３Ｂの位置を反映して）スタイラス１８２Ｂの撓みを感知し、（例えば信号線および制御線１３０Ａを介して）撓みまたは位置データをインターフェース電子機器１２０に出力するセンサおよび回路を備える。しかしながら、このタイプのＣＭＭプローブは例示的なものにすぎず、限定的なものではない。より一般的には、本明細書に開示されている原理に従って、互換性のある任意のタイプの交換可能なＣＭＭプローブ（例えば、タッチプローブ１８０Ａ、または非接触走査プローブ１８０Ｃ、または色点センサ、またはカメラ）または他のセンサを使用することができる。
【００１５】
図２は、本明細書に開示されている原理に従って格納されたＣＭＭプローブに電力を供給し加熱するための電力伝達構成体を含む、格納ラック２００およびＣＭＭプローブ１８０の部分概略図である。図２の特定の番号を付けられた要素１ＸＸまたは１ＸＸ' は、図１の同様の番号を付けられた対応する要素１ＸＸに対応するおよび／または同様の動作を有することがあり、以下の説明または文脈によって別段に示されない限り、それと同様に理解され得る。適用可能であれば、類似の設計および／または機能を有する要素を示すためのこの番号付けの方式は、以下の図にも適用することができる。
【００１６】
図２に示すように、格納ラック２００は、ＣＭＭに自動的に取り付け可能かつ取り外し可能な少なくとも１つのＣＭＭプローブ１８０（例えば、図１に示すＣＭＭプローブ１８０Ａ、１８０Ｃ、および１８０Ｂ）を格納する。格納ラック２００は、測定システム１００のように、ＣＭＭの近傍に取り付けることができる。図２に示す実施形態では、格納ラック２００は、ＣＭＭプローブ１８０を受け入れて保持するように構成された３つのプローブレセプタクル２１０Ａ、２１０Ｂ、２１０Ｃを備える。なお、ＣＭＭプローブ１８０は、ＣＭＭによって自動的に挿抜される。プローブレセプタクル２１０Ａ、２１０Ｂおよび２１０Ｃは概略的に示されていることを理解されたい。当然のことながら、格納ラック２００およびプローブレセプタクル２１０Ａ、２１０Ｂ、および２１０Ｃは、ＣＭＭプローブ１８０がＣＭＭによって自動的に挿抜されるときに、ＣＭＭプローブ１８０を係合および開放するためのＣＭＭプローブ１８０上の既知の機械的機構と結びつく既知の機構を備えている。例えば、格納ラック２００は、公知の市販の格納ラック、および／または日本国特開昭６０−２２４００５号、および／または欧州特許第８５６３７７号、および／または米国特許第８，３８１，５８８号、第７，７２２，５１５号に開示されている格納ラックと同様のレセプタクル機構を備えている。なお、これらの各々は、参照によりその全体が本明細書に組み込まれている。いくつかの実施形態では、格納ラックは、本明細書で開示されている既知の動力付き機構および／または様々な要素を動作させるために、ＣＭＭから電力を受け取るように接続されていてもよい。
【００１７】
図２はまた、本明細書に開示される原理に従い、格納されたＣＭＭプローブ１８０（例えば１８０Ａおよび１８０Ｃ）に電力を供給し加熱するための電力伝達構成体の一実施形態を示す。図示の実施形態では、電力伝達構成体は、一次電磁巻線２５９と電力供給線２５８とを備える一次電磁巻線モジュール２５０を含む。一次電磁巻線モジュール２５０は、プローブレセプタクル２１０（例えば、プローブレセプタクル２１０Ａ、２１０Ｂおよび／または２１０Ｃのうちの１つ）の近傍または内部で格納ラックに取り付けられる。一次電磁巻線２５９は、電源から（例えば、電力供給線２５８から直接、または一次電磁巻線モジュール２５０内の交流発生電源から）交流電力を受け取るように構成される。一次電磁巻線２５９は、格納ラック２００のプローブレセプタクル２１０内に保持された隣接するＣＭＭプローブ１８０の（ハウジングの）近傍で変化する電磁場を発生させる。
【００１８】
電力伝達構成体は、隣接するＣＭＭプローブ１８０のハウジングまたはカバーの内部かつその近傍に、二次電磁巻線１９９（例えば、図２に示す二次電磁巻線１９９Ａ、１９９Ｃ）をさらに備える。既知の原理に従って、二次電磁巻線１９９は、一次電磁巻線２５９によって発生した変化する電磁場を受信できるように配置され、電磁誘導によって電力を発生させる（例えば交流を発生させる）。二次電磁巻線１９９および／またはＣＭＭプローブ１８０のハウジングの近傍部分は、二次電磁巻線１９９が変化する電磁場に最適に結合するように構成されてもよい。例えば、ＣＭＭプローブ１８０の金属ハウジングは、その位置で薄くするかまたは除去されていてもよい。そのハウジングが取り外される場合、変化する電磁場を遮蔽しないプラスチック製のカバーまたはシーリング材料がハウジングを密封するために使用されてもよい。
【００１９】
二次電磁巻線１９９は、ＣＭＭプローブ１８０の内部に含まれる電子部品１９０に含まれ、電力を供給するように接続される。特に、様々な実施形態では、二次電磁巻線１９９は、電子部品１９０に含まれる熱調整要素１９５に電力を供給する。いくつかの実施形態では、熱調整要素１９５は、ＣＭＭの測定動作中に通常使用される要素（例えば、ＣＭＭプローブ１８０のすべて、または一次発熱要素のみが二次電磁巻線１９９によって電力を供給され得る）を単に備える（つまり、熱調整要素１９５は、測定動作中にＣＭＭがＣＭＭプローブ１８０を使用して電力を供給するときに通常電力が供給される電子部品１９０のうちの少なくともいくつかを備えているといえる）。他の実施形態では、熱調整要素１９５は、特定目的の「格納ラックヒータ」回路を備える。一実施形態では、それは、１つまたは複数の電力投入された抵抗器、制御温度センサ、および当技術分野で知られている他の適切な要素を含むことができる。
【００２０】
様々な実施形態では、熱調整要素１９５は、（例えば、符号１９５Ｃによって概略的に表されるように）ＣＭＭプローブ内の望ましい位置に分散させることができる。いずれにせよ、熱調整要素１９５に供給される電力は、ＣＭＭプローブ１８０を測定動作中に有するであろう温度と同様の温度に保つために熱を供給する。これにより、ユーザがＣＭＭプローブ１８０を使用して正確なＣＭＭ測定動作を開始する前のウォームアップ期間の必要性が大幅に減少する。
【００２１】
様々な実施態様では、熱調整要素１９５は、（例えば、符号１９５Ｃによって概略的に表されるように）ＣＭＭプローブ内の望ましい位置に分散させることができる。いずれにせよ、熱調整要素１９５に供給される電力は、ＣＭＭプローブ１８０を測定動作中に有するであろう温度と同様の温度に保つために熱を供給する。これにより、ユーザがＣＭＭプローブ１８０を使用して正確なＣＭＭ測定動作を開始する前のウォームアップ期間の必要性は大幅に減少する。
【００２２】
電磁誘導を介して電力を供給することはまた、図３および図４に示されるような直接電気接点の必要性を回避する。このような電気接点は、機械的摩耗および腐食に左右され、それらおよび他の理由から信頼できない接続である。電磁誘導を介して電力を供給することは、より良い信頼性とより低い組み立てコストを提供することができる。一次電磁巻線２５９の様々な実施形態は、（例えば、図２に示すような動作可能で便利な任意の位置で、一次電磁巻線モジュール２５０を格納ラック２００に取り付けることによって）格納ラック２００に容易に後付けすることができる。あるいは、一次電磁巻線２５９は、格納ラック２００の要素内の任意の動作可能で都合のよい位置に直接配置または埋め込むことができる。一次電磁巻線２５９は、二次電磁巻線１９９に結合するための望ましい場を発生させるのに適合する任意の都合のよい望ましい形態をとることができる。
【００２３】
様々な実施形態では、一次電磁巻線２５９は、少なくとも２つのターンを含むコイルを備える。様々な実施形態では、二次電磁巻線１９９は、少なくとも２つのターンを含むコイルを備える。電磁誘導を介して電力を伝達するための様々な構成および回路は、知られており、本明細書に開示されている原理に従って様々な実施形態で使用または組み合わせることができる。例えば、様々な構成および回路が、米国特許出願公開第２０１２／０２２８２８６号、第２０１３／０１６２２００号、第２０１４／０１２０７４７号に開示され、これらの各々は、その全体が参照により本明細書に組み込まれている。
【００２４】
図３は、格納ラック３００の従来技術のプローブレセプタクル３１０の断面図である。格納ラック３００は、 '５８８特許に開示された格納ラックと同様である。格納ラック３００は、走査ＣＭＭプローブ３２０側の電気接点３３１Ａおよび電気接点３３１Ｂを介して走査ＣＭＭプローブ３２０内のレーザ３４０に電力を供給するように構成された電気接点３３０Ａおよび電気接点３３０Ｂを備える。
【００２５】
図４は、格納ラック４００の従来技術のプローブレセプタクル４１０の断面図である。格納ラック４００は、 '５８８特許に開示された格納ラックと同様である。格納ラック４００は電気接点４３０Ａ、４３０Ｂおよび４３０Ｃを備える。ＣＭＭに取り付けられている間、電気接点４３０Ａ、４３０Ｂ、および４３０Ｃは、電力をＣＭＭプローブ４２０に伝達するように構成される。格納ラック４００は、電気接点４３１Ａ、４３１Ｂ、および４３１Ｃを備える。格納ラック４００は、ＣＭＭプローブ４２０がＣＭＭから取り外されてプローブレセプタクル４１０に配置されると、電気接点４３１Ａ、４３１Ｂ、および４３１Ｃと電気接点４３０Ａ、４３０Ｂ、および４３０Ｃとの間の接続を介してＣＭＭプローブ４２０に電力を伝達するように構成される。ＣＭＭプローブ４２０は、少なくとも１つの熱抵抗器４４０が格納ラック４００から電力を受け取るように構成される。少なくとも１つの熱抵抗器４４０は、その温度を調整するためにＣＭＭプローブ４２０に熱を供給する。
【００２６】
図５は、座標測定機から取り外された少なくとも１つの座標測定機（ＣＭＭ）プローブに電力を供給するための方法を示すフロー図である。
【００２７】
ブロック５１０で、ＣＭＭプローブは、格納ラックのプローブレセプタクル内に保持される。プローブレセプタクルは、プローブレセプタクルの近傍または内部に取り付けられた一次電磁巻線を備える。
【００２８】
ブロック５２０で、格納ラックは、一次電磁巻線に電力を供給し、プローブレセプタクルに保持されたＣＭＭプローブのハウジングの近傍で変化する電磁場を発生させるように動作する。
【００２９】
ブロック５３０で、変化する電磁場に応答して、ＣＭＭプローブ内の二次電磁巻線に電力が発生する。
【００３０】
２０１６年７月１日に出願された米国仮特許出願第６２／３５７，６８３号の開示は、その全体が本明細書に組み込まれる。
【００３１】
本明細書に開示されている原理を実施するために様々な代替形態を使用することができる。さらに、上述の様々な実施形態を組み合わせてさらなる実施形態を提供することができる。さらなる実施形態を提供するために、本明細書に組み込まれる様々な特許および他の参考文献の概念を使用することが望まれる場合、または当技術分野で知られている他の方法で、実施形態の態様を変更することができる。
【００３２】
これら及び他の変更は、上記詳細な説明に照らして実施形態となされる。一般的には、以下の特許請求の範囲において、使用される用語は、明細書及び特許請求の範囲に開示された特定の実施形態に特許請求の範囲を限定するように解釈されるべきではなく、このような特許請求の範囲が権利を与えるような均等物の全範囲と共にすべての可能な実施形態を含むように解釈されるべきである。
【図１】
2019519791.tif 000003
【図２】
2019519791.tif 000004
【図３】
2019519791.tif 000005
【図４】
2019519791.tif 000006
【図５】
2019519791.tif 000007
【国際調査報告】
2019519791.tif 000008